(57)【要約】【課題】容易に指示書に含まれている薬剤であることを確認することが可能な薬剤監査装置およびプログラムを提供する。【解決手段】薬剤監査装置は、表示部と、表示制御手段と、収納部と、読取装置と、識別手段と、判定手段と、報知手段と、を備える。前記表示制御手段は、指示された薬剤の一覧である指示書を前記表示部に表示する。前記収納部は、前記指示書で指示された薬剤を入れる。前記読取装置は、前記収納部に設けられた無線タグに記憶された識別子を無線通信により読み取る。前記識別手段は、前記収納部に入れられた薬剤の無線タグに記憶された識別子を、前記読取装置を介して読み取ることで薬剤を識別する。前記判定手段は、前記識別手段が識別した薬剤が、前記指示書で指示された薬剤であるか否かを判定する。前記報知手段は、前記判定手段により前記指示書で指示された薬剤であるか否かを報知する。【選択図】図２
2015064673.tif 000002
【特許請求の範囲】
【請求項１】
表示部と、
指示された薬剤の一覧である指示書を前記表示部に表示する表示制御手段と、
前記指示書で指示された薬剤を入れる収納部と、
前記収納部に設けられた無線タグに記憶された識別子を無線通信により読み取る読取装置と、
前記収納部に入れられた薬剤の無線タグに記憶された識別子を、前記読取装置を介して読み取ることで薬剤を識別する識別手段と、
前記識別手段が識別した薬剤が、前記指示書で指示された薬剤であるか否かを判定する判定手段と、
前記判定手段により前記指示書で指示された薬剤であるか否かを報知する報知手段と、
を備える薬剤監査装置。
【請求項２】
薬剤に付されている識別子を光学的に読み取る補助読取装置を更に備え、
前記識別手段は、薬剤に付されている識別子を、前記補助読取装置を介して読み取ることで薬剤を識別する、
請求項１に記載の薬剤監査装置。
【請求項３】
前記表示制御手段は、前記報知手段が報知する場合に指示書情報に違反している旨の画面を表示させる、
請求項２に記載の薬剤監査装置。
【請求項４】
前記表示制御手段は、前記指示書で指示された薬剤のうち、当該指示書で指示された量の薬剤を容器に入れた場合にマークを表示させる、
請求項２または請求項３に記載の薬剤監査装置。
【請求項５】
前記収納部が載置される荷台、及び車輪を有する台車を更に備えた、
請求項１ないし４の何れか一項に記載の薬剤監査装置。
【請求項６】
表示部と、
薬剤を入れる収納部と、
前記収納部に設けられた無線タグに記憶された識別子を無線通信により読み取る読取装置と、を備えたコンピュータを、
指示された薬剤の一覧である指示書を前記表示部に表示する表示制御手段と、
前記収納部に入れられ、前記指示書で指示された薬剤の無線タグに記憶された識別子を、前記読取装置を介して読み取ることで薬剤を識別する識別手段と、
前記識別手段が識別した薬剤が、前記指示書で指示された薬剤であるか否かを判定する判定手段と、
前記判定手段により前記指示書で指示された薬剤であるか否かを報知する報知手段と、
として機能させるためのプログラム。
【発明の詳細な説明】
【技術分野】
【０００１】
本発明の実施形態は、薬剤監査装置およびプログラムに関する。
【背景技術】
【０００２】
従来、病院の薬剤部や、病棟の看護師ルームにおいては、薬剤師や看護師が医師の作成した処方箋などの指示書に基づいて薬剤の取り揃えが行われている。薬剤師や看護師は、患者ごとに必要な薬剤を間違えることなく取り揃えることが要求されている。
【０００３】
そこで、薬剤の取り違い等の過誤の発生を防止するために幾つかのシステムが提案されている。しかし、指示書に含まれている薬剤であることを確認するためには、薬剤の容器に付されたバーコードをスキャナ等にかざし読み取らせる必要がある。また、全ての薬剤について、指示書に含まれている薬剤であることを確認しなければならず、作業の効率化について改善の余地がある。
【発明の概要】
【発明が解決しようとする課題】
【０００４】
本発明が解決しようとする課題は、容易に指示書に含まれている薬剤であることを確認することが可能な薬剤監査装置およびプログラムを提供することである。
【課題を解決するための手段】
【０００５】
実施形態の薬剤監査装置は、表示部と、表示制御手段と、収納部と、読取装置と、識別手段と、判定手段と、報知手段と、を備える。前記表示制御手段は、指示された薬剤の一覧である指示書を前記表示部に表示する。前記収納部は、前記指示書で指示された薬剤を入れる。前記読取装置は、前記収納部に設けられた無線タグに記憶された識別子を無線通信により読み取る。前記識別手段は、前記収納部に入れられた薬剤の無線タグに記憶された識別子を、前記読取装置を介して読み取ることで薬剤を識別する。前記判定手段は、前記識別手段が識別した薬剤が、前記指示書で指示された薬剤であるか否かを判定する。前記報知手段は、前記判定手段により前記指示書で指示された薬剤であるか否かを報知する。
【図面の簡単な説明】
【０００６】
【図１】図１は、第１の実施形態に係る薬剤管理システムの概要構成を示すブロック図である。
【図２】図２は、第１の実施形態に係る薬剤監査装置の外観を示す斜視図である。
【図３】図３は、薬剤監査装置のハードウェア構成を示すブロック図である。
【図４】図４は、薬剤監査装置の機能構成を示すブロック図である。
【図５】図５は、薬剤監査装置のＣＰＵが制御プログラムに従って実行する薬剤監査処理の流れを示すフローチャートである。
【図６】図６は、ログイン画面の一例を示す説明図である。
【図７】図７は、ログイン手入力画面の一例を示す説明図である。
【図８】図８は、監査番号入力画面の一例を示す説明図である。
【図９】図９は、薬剤リスト画面の一例を示す説明図である。
【図１０】図１０は、過剰報知画面の一例を示す画面である。
【図１１】図１１は、過誤報知画面の一例を示す画面である。
【図１２】図１２は、不足報知画面の一例を示す説明図である。
【図１３】図１３は、完了画面の一例を示す説明図である。
【図１４】図１４は、第２の実施形態に係る薬剤監査装置の外観を示す斜視図である。
【図１５】図１５は、第３の実施形態に係るカートの外観を示す斜視図である。
【図１６】図１６は、第３の実施形態に係る薬剤監査装置のハードウェア構成を示すブロック図である。
【発明を実施するための形態】
【０００７】
（第１の実施形態）
図１は、第１の実施形態に係る薬剤管理システム１０の概要構成を示すブロック図である。図１に示すように、薬剤管理システム１０は、電子カルテサーバ１１と、医師用の情報処理端末装置１２と、看護師用の情報処理端末装置１３と、薬剤監査装置１４と、無線基地局１５及び公衆通信ネットワーク１６を介して通信ネットワーク１７に接続された医師用の携帯情報処理端末装置１８と、薬剤部サーバ１９と、薬剤登録装置２０と、を備えている。
【０００８】
電子カルテサーバ１１は、電子カルテを管理し、記憶するための装置である。医師用の情報処理端末装置１２は、電子カルテの記入などを行うための装置である。看護師用の情報処理端末装置１３は、電子カルテサーバ１１が管理する電子カルテの参照及び確認を行うための装置である。薬剤監査装置１４は、電子カルテに含まれる指示書情報（例えば、処方箋情報）に基づいて薬剤の取揃え等の支援および監査を行うための装置である。薬剤部サーバ１９は、薬剤部に配置され薬剤払出等を管理するための装置である。また、薬剤部サーバ１９は、薬剤のコード情報または薬剤の外面情報（薬剤のラベルを表す特徴量、薬剤の色合いや表面の凹凸状況等の表面の状態を表す特徴量など）に対応付けて薬剤に係る薬剤情報（名称、量など）を登録している。薬剤登録装置２０は、手術室に配置され、看護師によって手術中に使用された薬剤、あるいは救急の場などにおいて看護師や薬剤師等によって緊急的に使用された薬剤の登録支援を行うための装置である。
【０００９】
上記構成において、電子カルテサーバ１１、情報処理端末装置１２、情報処理端末装置１３、薬剤監査装置１４、薬剤部サーバ１９及び薬剤登録装置２０は、通信ネットワーク１７に接続されている。
【００１０】
図２は、第１の実施形態に係る薬剤監査装置１４の外観を示す斜視図である。薬剤監査装置１４は、大別すると、タブレットＰＣ（Personal  Computer）１００と、読取部２００と、ＢＯＸ部３００とを有している。タブレットＰＣ１００は、薬剤監査装置１４の制御主体である。読取部２００は、薬剤に付された各種情報を光学的に読み取る。ＢＯＸ部３００は、取り揃えた薬剤を収納する。
【００１１】
タブレットＰＣ１００は、各種情報を表示するディスプレイ１１０と、ディスプレイ１１０に表示された各種情報に対する各種操作を入力するタッチパネル１２０とを有する。
【００１２】
ＢＯＸ部３００は、箱部３１０と、ＲＦＩＤ（Radio  Frequency  IDentification）リーダライタ３２０と、電源装置３４０とを有する。箱部３１０は、上面開口の箱形状であり薬剤を入れる収納部である。
【００１３】
ＲＦＩＤリーダライタ３２０は、ＲＦＩＤタグから情報を読み取る読取装置である。ＲＦＩＤタグは、薬剤を識別可能なコード情報を記憶する無線タグである。ＲＦＩＤリーダライタ３２０は、制御部３２１と、アンテナ３２２とを有する。ＲＦＩＤリーダライタ３２０は、箱部３１０の底面に備えられる。そして、アンテナ３２２は、箱部３１０の底面と略同一の大きさである。アンテナ３２２の上面に薬剤が置かれた場合に、ＲＦＩＤリーダライタ３２０は、薬剤に付されているＲＦＩＤタグから薬剤を識別するコード情報を読み取る。よって、ＲＦＩＤリーダライタ３２０の通信可能距離は、数１０ｃｍ前後でよい。すなわち、ＲＦＩＤリーダライタ３２０は、１３０〜１３５ＫＨｚの周波数を用いる電子誘導方式での通信を行うタイプが好ましい。
【００１４】
電源装置３４０は、箱部３１０の底面に備えられる。電源装置３４０は、ＲＦＩＤリーダライタ３２０へ電力を供給するための電池などである。なお、薬剤にＲＦＩＤタグが付されていない場合には、補助読取装置である読取部２００が、薬剤に付された識別子であるバーコードなどのコードシンボルからコード情報や、外面情報を読み取ってもよい。
【００１５】
図３は、薬剤監査装置１４のハードウェア構成を示すブロック図である。図３に示すように、タブレットＰＣ１００は、ＣＰＵ（Central  Processing  Unit）１０１と、メモリ１０２と、ＳＳＤ（Solid  State  Drive）１０３と、ディスプレイ１１０と、タッチパネル１２０と、スピーカー１０４と、ネットワークＩ／Ｆ（Inter  Face）１０５と、外部Ｉ／Ｆ１０６と、電源装置１０７とを有する。
【００１６】
タブレットＰＣ１００は、外部Ｉ／Ｆ１０６を介して、読取部２００と、ＢＯＸ部３００と接続する。外部Ｉ／Ｆ１０６は、例えば、ＵＳＢ（Universal  Serial  Bus）や、ＲＳ２３２Ｃなどのインタフェースである。電源装置１０７は、タブレットＰＣ１００の各部へ電力を供給する装置である。また、電源装置１０７は、外部から入力された電力を各部へ供給する電源回路と、電池とを有する。電池は、外部から電力が供給されていない場合に電源として使用する。
【００１７】
ＣＰＵ１０１は、装置全体を制御する。メモリ１０２は、ワークエリアとして機能するとともに、各種データを一時的に記憶する。ＳＳＤ１０３は、データベース等の大容量データや制御プログラムを記憶する。なお、ＳＳＤ１０３は、ハードディスクドライブなどの他の記憶媒体であってもよい。
【００１８】
スピーカー１０４は、音声や警告音などを発音する。ネットワークＩ／Ｆ１０５は、通信ネットワーク１７と接続する場合に使用するインタフェースである。外部Ｉ／Ｆ１０６は、タブレットＰＣ１００と、ＢＯＸ部３００とを接続する場合に使用するインタフェースである。
【００１９】
図３に示すように、読取部２００は、ＣＰＵ２０１と、メモリ２０２と、撮像部２０３と、外部Ｉ／Ｆ２０４と、を有する。ＣＰＵ２０１は、装置全体を制御する。メモリ２０２は、ワークエリアとして機能するとともに、各種データを一時的に記憶する。撮像部２０３は、カラーＣＣＤ（Charge  Coupled  Device）イメージセンサやカラーＣＭＯＳ（Complementary  Metal-Oxide  Semiconductor）イメージセンサ等のイメージセンサとＬＥＤ（Light  Emitting  Diode）などの光源とを有する。
【００２０】
外部Ｉ／Ｆ２０４は、タブレットＰＣ１００と、ＢＯＸ部３００と接続する場合に使用するインタフェースである。外部Ｉ／Ｆ２０４は、例えば、ＵＳＢや、ＲＳ２３２Ｃなどのインタフェースである。電源装置２０５は、読取部２００の各部へ電力を供給する装置である。また、電源装置２０５は、電力を各部へ供給する電池と有する。なお、外部から電力が供給される構成の場合には、電池を有していなくてもよい。例えば、外部Ｉ／Ｆ２０４にＵＳＢを採用し、電力がＵＳＢを介して供給される構成などである。
【００２１】
図３に示すように、ＢＯＸ部３００は、外部Ｉ／Ｆ３０１と、ＲＦＩＤリーダライタ３２０の制御部３２１と、ＲＦＩＤリーダライタ３２０のアンテナ３２２と、電源装置３４０と、を有する。外部Ｉ／Ｆ３０１は、タブレットＰＣ１００と、読取部２００とを接続する場合に使用するインタフェースである。制御部３２１は、ＲＦＩＤタグとの通信を制御する。アンテナ３２２は、ＲＦＩＤタグと、ＲＦＩＤリーダライタ３２０との間の電波を送受信する装置である。外部Ｉ／Ｆ３０１は、例えば、ＵＳＢや、ＲＳ２３２Ｃなどのインタフェースである。
【００２２】
次に、タブレットＰＣ１００および読取部２００が有する特徴的な機能について説明する。図４は、薬剤監査装置１４の機能構成を示すブロック図である。タブレットＰＣ１００のＣＰＵ１０１は、メモリ１０２やＳＳＤ１０３に記憶された制御プログラムに従って動作することで、図４に示すように、識別手段１０１０と、判定手段１０１１と、報知手段１０１２と、表示制御手段１０１３と、として機能する。また、読取部２００のＣＰＵ２０１は、メモリ２０２に記憶された制御プログラムに従って動作することで、図４に示すように、読取手段２０１０として機能する。
【００２３】
読取手段２０１０は、撮像部２０３が撮像した撮像画像から、看護師ＩＤ（オペレータ）のコードシンボルを読み取る。または、読取手段２０１０は、薬剤を識別する識別子を読み取る。具体的には、撮像部２０３は、使用される薬剤に付されたコードシンボルのコード情報または使用される薬剤の全部または一部の外面情報を読み取る。バーコードや二次元コードなどのコードシンボルからコード情報を検出する処理については、従来からある技術なのでここでの説明は省略する。同様に、薬剤の全部または一部の外面情報を読み取る処理についても、従来からある技術なのでここでの説明は省略する。
【００２４】
識別手段１０１０は、読取手段２０１０による読み取り結果として得られた情報（コード情報または外面情報）に基づいて薬剤を識別して薬剤情報を抽出する。または、識別手段１０１０は、薬剤に付されているＲＦＩＤタグから、読取装置であるＲＦＩＤリーダライタ３２０が読み取ったコード情報から薬剤情報を抽出する。
【００２５】
判定手段１０１１は、識別手段１０１０が識別した薬剤情報が指示書情報に指示された薬剤であるか否かを判定する。具体的には、判定手段１０１１は、ネットワークＩ／Ｆ１０５と通信ネットワーク１７とを介して薬剤部サーバ１９または電子カルテサーバ１１に薬剤情報が指示書情報に含まれているか否かの問い合わせを行う。また、判定手段１０１１は、薬剤を指示書情報と比較して過剰に取り揃えられていないか判定する。
【００２６】
報知手段１０１２は、判定手段１０１１が指示書情報で指示された薬剤ではない薬剤情報であると判定した場合、または、過剰に取り揃えられていると判定された場合に報知する。例えば、報知手段１０１２は、ディスプレイ１１０に指示書情報に違反している旨の画面を表示させて報知する。具体的には、報知手段１０１２は、薬剤情報が指示書情報に含まれていない旨の画面や、過剰に取り揃えられている旨の画面を表示制御手段１０１３に表示させて報知する。または、報知手段１０１２は、スピーカー１０４に警告音を発生させることで報知する。
【００２７】
表示制御手段１０１３は、ディスプレイ１１０に、識別手段１０１０が識別した薬剤情報の一覧の表示を制御する。
【００２８】
次に、上述した実施形態にかかる薬剤監査装置１４のＣＰＵ１０１が制御プログラムに従って実行する薬剤監査処理について説明する。
【００２９】
図５は、薬剤監査装置１４のＣＰＵ１０１が制御プログラムに従って実行する薬剤監査処理の流れを示すフローチャートである。
【００３０】
図６に示すように、薬剤監査装置１４のＣＰＵ１０１は、初期状態としてディスプレイ１１０にログイン画面Ｇ１を表示する（ステップＳ１）。薬剤監査装置１４の操作が許可されている各オペレータ（看護師）は、ＩＤカードを有し、ＩＤカードの認証により薬剤監査装置１４の操作が可能になるものとする。
【００３１】
図６は、ログイン画面Ｇ１の一例を示す説明図である。ログイン画面Ｇ１には、図６に示すように、「ＩＤカードを読み取らせてください。」というガイドコメントが表示される。また、ログイン画面Ｇ１は、ＩＤカードに付されている看護師ＩＤのコードシンボルを読取部２００に読み込ませることを促すガイド画像を表示する。また、図６に示すように、ログイン画面Ｇ１は、手入力ボタンＢ１を有する。
【００３２】
図７は、ログイン手入力画面Ｇ２の一例を示す説明図である。ログイン手入力画面Ｇ２は、ログイン画面Ｇ１において手入力ボタンＢ１が押下された場合に表示される画面である。ログイン手入力画面Ｇ２は、図６に示すように、「操作者コードを入力して下さい。」というガイドコメントが表示される。また、ログイン手入力画面Ｇ２は、オペレータ（看護師）のＩＤ番号を入力することによりログインする画面である。
【００３３】
したがって、オペレータ（看護師）は、ログイン処理を行うために、自己のＩＤカードに付された看護師ＩＤのコードシンボルを読取部２００の前にかざして、または手入力にて、看護師ＩＤを読み込ませる。
【００３４】
薬剤監査装置１４のＣＰＵ１０１は、ログイン処理により看護師ＩＤを認証すると（ステップＳ２；Ｙｅｓ）、ディスプレイ１１０の表示画面に監査番号入力画面Ｇ３（図８参照）を表示する（ステップＳ３）。なお、薬剤監査装置１４のＣＰＵ１０１は、看護師ＩＤが認証できない場合（ステップＳ２；Ｎｏ）、ステップＳ１に戻り、ログイン画面Ｇ１を再度表示する。
【００３５】
図８は、監査番号入力画面Ｇ３の一例を示す説明図である。監査番号入力画面Ｇ３には、図８に示すように、「バーコードを読み取らせてください。」というガイドコメントが表示される。これにより、監査番号入力画面Ｇ３は、医師からの指示書に付されている指示書ＩＤのコードシンボルを読取部２００に読み込ませることを促す。また、監査番号入力画面Ｇ３は、手入力ボタンＢ２を有する。手入力ボタンＢ２を押下することによりオペレータ（看護師）は、手入力にて指示書ＩＤを入力することが可能である。
【００３６】
薬剤監査装置１４のＣＰＵ１０１は、監査番号入力処理により指示書ＩＤを認証すると（ステップＳ４；Ｙｅｓ）、ディスプレイ１１０の表示画面に薬剤リスト画面Ｇ４（図９参照）を表示する（ステップＳ５）。なお、薬剤監査装置１４のＣＰＵ１０１は、指示書ＩＤが認証できない場合（ステップＳ４；Ｎｏ）、ステップＳ３に戻り、監査番号入力画面Ｇ３を再度表示する。
【００３７】
図９は、薬剤リスト画面Ｇ４の一例を示す説明図である。薬剤リスト画面Ｇ４には、図９に示すように、患者ＩＤと、薬剤リストと、完了ボタンＢ３とを表示する。患者ＩＤは、指示書に記載された薬剤を投与する患者を示す情報である。薬剤リストは、取り揃えられた薬剤のリストである。また、薬剤リストは、薬剤名と、処方量／単位と、必要量と、を表示する欄を有する。薬剤名は、薬剤の名称を表示する欄である。処方量／単位は、薬剤の単位となる量を表示する欄である。必要量は、指示書にて指示された薬剤の取り揃える量を表示する欄である。また、必要量は、スラッシュの左側に取り揃えた量が表示され、右側に取り揃える量が表示される。必要量が表示される欄には、丸マークＭ１が表示される。丸マークＭ１は、指示書情報で指示された薬剤のうち、指示書情報で指示された量の薬剤をＢＯＸ部３００に入れた場合に表示されるマークである。これにより、オペレータ（看護師）は、不足している薬剤をＢＯＸ部３００に収集する。完了ボタンＢ３は、薬剤の取り揃えが完了した場合に押下するボタンである。また、完了ボタンＢ３は、全ての薬剤の取り揃えが完了した場合に、表示されるようにしてもよい。
【００３８】
ＢＯＸ部３００に薬剤が入れられると、薬剤監査装置１４のＣＰＵ１０１（識別手段１０１０）は、ＲＦＩＤリーダライタ３２０に薬剤に付されているＲＦＩＤタグから識別子であるコード情報を読み取らせることで薬剤を識別する（ステップＳ６）。なお、薬剤に付されているＲＦＩＤタグが付されていない場合に、薬剤監査装置１４のＣＰＵ１０１（識別手段１０１０）は、読取部２００が読み取った薬剤に付されているバーコードなどのコードシンボルからコード情報を読み取らせることで薬剤を識別する。また、コード情報が読み出された薬剤のＲＦＩＤタグは、読み取りが完了を示すフラグを有効にすることで２度読みを防止する。
【００３９】
次いで、薬剤監査装置１４のＣＰＵ１０１（判定手段１０１１）は、コード情報から識別された薬剤の薬剤情報を用いて指示書にて指示されている薬剤であるか否かを判定する（ステップＳ７）。
【００４０】
一方、指示書にて指示されていない薬剤である場合に（ステップＳ７；Ｎｏ）、薬剤監査装置１４のＣＰＵ１０１（報知手段１０１２）は、報知画面を表示して報知する（ステップＳ８）。さらに具体的には、薬剤監査装置１４のＣＰＵ１０１（報知手段１０１２）は、指示書にて指示された量よりも多く取り揃えた場合と、指示書にて指示されていない薬剤を取り揃えた場合と、において報知する。ここで、図１０は、過剰報知画面Ｇ５の一例を示す画面である。過剰報知画面Ｇ５は、指示書にて指示された量よりも多く取り揃えた場合に表示される画面である。指示量よりも多く取り揃えた薬剤を取り除いた後に、ＯＫボタンＢ４が押下されると薬剤監査装置１４のＣＰＵ１０１は、過剰報知画面Ｇ５を消去する。図１１は、過誤報知画面Ｇ６の一例を示す画面である。過誤報知画面Ｇ６は、指示書にて指示されていない薬剤を取り揃えた場合に表示される画面である。指示されていない薬剤を取り除いた後に、ＯＫボタンＢ５が押下された薬剤監査装置１４のＣＰＵ１０１は、過誤報知画面Ｇ６を消去する。報知画面を表示後、薬剤監査装置１４のＣＰＵ１０１は、薬剤リスト画面Ｇ４を表示する。
【００４１】
指示書にて指示されている薬剤である場合に（ステップＳ７；Ｙｅｓ）、薬剤監査装置１４のＣＰＵ１０１は、ステップＳ９に移行する。次いで、薬剤監査装置１４のＣＰＵ１０１は、完了ボタンＢ３が押下されるか否かを判定する（ステップＳ９）。完了ボタンＢ３が押下されない場合に（ステップＳ９；Ｎｏ）、薬剤監査装置１４のＣＰＵ１０１（表示制御手段１０１３）は、薬剤リスト画面Ｇ４を表示する。完了ボタンＢ３が押下された場合に（ステップＳ９；Ｙｅｓ）、薬剤監査装置１４のＣＰＵ１０１（判定手段１０１１）は、指示書にて指示された薬剤が不足なく取り揃えられているか否かを判定する（ステップＳ１０）。指示書にて指示された薬剤が不足している場合に（ステップＳ１０；Ｎｏ）、薬剤監査装置１４のＣＰＵ１０１（表示制御手段１０１３）は、不足報知画面Ｇ７（図１２）を表示する（ステップＳ１１）。
【００４２】
ここで、図１２は、不足報知画面Ｇ７の一例を示す説明図である。不足報知画面Ｇ７は、「取り揃えが完了していません。」とのメッセージを表示して取り揃えの続行を促す画面である。不足報知画面Ｇ７は、ＯＫボタンＢ６を備える。ＯＫボタンＢ６は、不足報知画面Ｇ７を消去する場合に押下するボタンである。不足報知画面Ｇ７を表示後、薬剤監査装置１４のＣＰＵ１０１は、ステップＳ５に移行する。
【００４３】
指示書にて指示された薬剤が不足なく取り揃えられた場合に（ステップＳ１０；Ｙｅｓ）、薬剤監査装置１４のＣＰＵ１０１（表示制御手段１０１３）は、完了画面Ｇ８（図１２）を表示する（ステップＳ１２）。図１３は、完了画面Ｇ８の一例を示す説明図である。完了画面Ｇ８は、「取揃え作業が完了しました。」とのメッセージを表示して取り揃えの完了を通知する。
【００４４】
以上のように、第１の実施形態によれば、取り揃えの対象である薬剤を収集するＢＯＸ部３００は、その底部にＲＦＩＤリーダライタ３２０を有している。ＲＦＩＤリーダライタ３２０は、薬剤に付されているＲＦＩＤタグから、薬剤を識別するコード情報を読み取り、タブレットＰＣ１００へ送付する。コード情報を送付されたタブレットＰＣ１００は、電子カルテサーバ１１等にコード情報の薬剤が指示書情報に含まれているか否かを問い合わせる。よって、取り揃えの対象となる薬剤を箱に入れるだけで、容易に指示書に含まれている薬剤であることを確認することが可能となる。
【００４５】
（第２の実施形態）
次に、第２の実施形態に係る薬剤監査装置１４ａについて説明を行う。なお、第１の実施形態で説明した部分と共通する部分は説明を省略する。
【００４６】
第２の実施形態は、ＢＯＸ部３００ａのＲＦＩＤリーダライタ３２０ａ、制御部３２１ａ、アンテナ３２２ａ及び電源装置３４０ａが、箱部３１０ａの側面に備えられている点が第１の実施形態と異なっている。ここで、図１４は、第２の実施形態に係る薬剤監査装置１４ａの外観を示す斜視図である。第２の実施形態に係る薬剤監査装置１４ａは、ＲＦＩＤリーダライタ３２０ａ及び電源装置３４０ａが箱部３１０ａの側面に備える。そして、第２の実施形態に係る薬剤監査装置１４ａは、他の面に遮断板３５０が備えられている点が第１の実施形態に係る薬剤監査装置１４と異なっている。
【００４７】
第２の実施形態に係る薬剤監査装置１４ａは、箱部３１０ａに薬剤が入れられた場合に、薬剤に付されているＲＦＩＤタグから薬剤を識別するコード情報を読み取る。よって、ＲＦＩＤリーダライタ３２０ａは、薬剤を収集する箱部３１０ａに入れられた薬剤のＲＦＩＤタグからコード情報を読み取れる程度の電波強度を有していればよい。よって、ＲＦＩＤリーダライタ３２０ａの通信可能距離は、１ｍ程度あればよい。すなわち、ＲＦＩＤリーダライタ３２０ａは、１３．５６ＭＨｚの周波数を用いる電子誘導方式での通信を行うタイプが好ましい。
【００４８】
また、第２の実施形態に係る薬剤監査装置１４ａは、箱部３１０ａの側面にアンテナ３２２ａが備えられていることから、外側にある薬剤のＲＦＩＤタグを読み取ってしまう可能性がある。そこで、箱部３１０ａは、アンテナ３２２ａが備えられていない側面に、電波を遮断する遮断板３５０を備えればよい。遮断板３５０は、例えば、アルミなどの電波を遮断する金属製の板である。または、遮断板３５０は、例えば、電波を吸収する電波吸収パネルなどでもよい。
【００４９】
また、遮断板３５０は、アンテナ３２２ａが備えられている側面の箱部３１０ａの外側に備えられてもよい。更に、箱部３１０ａの上面や、底面に備えられてもよい。
【００５０】
以上のように、第２の実施形態によれば、箱部３１０ａの側面にＲＦＩＤリーダライタ３２０ａ及びアンテナ３２２ａを備える。そして、第２の実施形態にかかる箱部３１０ａは、他の側面に遮断板３５０を備える。これにより、外側にある薬剤のＲＦＩＤタグを読み取ってしまうことを防止する。よって、ＲＦＩＤリーダライタ３２０ａの仕様に合わせて箱部３１０ａの底面の大きさ、形状などを変える必要がないことから設計の自由度を向上させることが可能となる。
【００５１】
（第３の実施形態）
次に、第３の実施形態に係る薬剤監査装置１４ｂついて説明を行う。なお、第１の実施形態および第２の実施形態で説明した部分と共通する部分は説明を省略する。
【００５２】
第３の実施形態は、ＢＯＸ部３００ｂをカート４００などに置き、薬剤監査装置１４ｂの持ち運びを容易にしている。ここで、図１５は、第３の実施形態に係る薬剤監査装置１４ｂの外観を示す斜視図である。
【００５３】
薬剤監査装置１４ｂは、カート４００と、タブレットＰＣ１００ｂと、読取部２００ｂと、を有する。台車であるカート４００は、荷台上段４１０と、荷台下段４２０と、取っ手４３０と、キャスター４４０とを有する。
【００５４】
タブレットＰＣ１００ｂは、第１の実施形態に係るタブレットＰＣ１００ｂと同様の機能を有するタブレットＰＣ１００ｂである。しかし、第３の実施形態に係るタブレットＰＣ１００ｂは、カート４００から着脱可能となっている点が異なっている。読取部２００ｂは、第１の実施形態に係る読取部２００と同様の機能を有する読取部２００ｂである。しかし、第３の実施形態にかかる読取部２００ｂは、タブレットＰＣ１００ｂから着脱可能となっている。タブレットＰＣ１００ｂ及び読取部２００ｂは、取り外し可能とすることで、より柔軟に取り扱うことが可能である。
【００５５】
荷台上段４１０は、第１の実施形態に係るＢＯＸ部３００または第２の実施形態に係るＢＯＸ部３００ａを置く荷台である。荷台上段４１０は、溝４１１を有する。溝４１１は、ＢＯＸ部３００ａ、３００ｂをはめ込むことでＢＯＸ部３００ａ、３００ｂをより安定させる。
【００５６】
荷台下段４２０は、電源装置５００を置く荷台である。第３の実施形態に係るカート４００は、大容量の電源装置５００を有することで長時間の使用が可能となる。
【００５７】
取っ手４３０は、カート４００を移動させる際に各オペレータ（看護師）がつかむ部分である。キャスター４４０は、車輪であってカート４００の下部に備える。キャスター４４０は、消音機能を有しており周囲の静粛性を保つことができる。
【００５８】
図１６は、薬剤監査装置１４ｂのハードウェア構成を示すブロック図である。第３の実施形態は、電源装置５００を有する点が第１の実施形態とは異なっている。電源装置５００は、大容量の電池などである。電源装置５００は、タブレットＰＣ１００ｂの電源装置１０７と、ＢＯＸ部３００ｂの電源装置３４０と接続する。よって、第３の実施形態に係る薬剤監査装置１４ｂは、電源装置５００を有していることから長時間の使用が可能となる。
【００５９】
以上のように、第３の実施形態によれば、カート４００を備える。第３の実施形態は、薬剤監査装置１４ｂをカート４００に置き移動させることにより、オペレータの負担を軽減することが可能となる。また、第３の実施形態は、大容量の電源装置５００を有することで長時間の使用が可能となる。
【００６０】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【００６１】
なお、上記実施形態では、指示書情報は、薬剤部サーバ１９または電子カルテサーバ１１に記憶されていると説明している。薬剤に付されているＲＦＩＤタグから読み取ったコード情報は、通信ネットワーク１７を介して薬剤部サーバ１９または電子カルテサーバ１１に問い合わせることで指示書情報に含まれているか否かを判定している。しかし、薬剤監査装置１４で指示書情報に含まれているか否かを判定してもよい。この場合には、指示書情報を薬剤監査装置１４のＳＳＤ１０３に記憶させればよい。これにより、通信ネットワーク１７が使用できない環境においても、薬剤監査装置１４を使用することが可能となる。
【００６２】
なお、上記実施形態では、指示書情報にて指示された薬剤以上に薬剤がＢＯＸ部３００に入れられた場合に報知している。しかし、報知をする場面はこれに限らない。例えば、指示書情報にて指示された薬剤がＢＯＸ部３００から取り出された時に報知してもよい。これにより、本来は必要な薬品を間違えて取り出してしまうことを防ぐことが可能となる。
【００６３】
なお、上記実施形態では、プリンタを有していない。しかし、プリンタなどをタブレットＰＣ１００に接続可能としてもよい。これにより、タブレットＰＣ１００に表示された問い揃え結果を印刷することが可能となる。
【００６４】
また、上記実施形態の各装置で実行されるプログラムは、各装置が備える記憶媒体（ＲＯＭ又は記憶部）に予め組み込んで提供するものとするが、これに限らず、インストール可能な形式又は実行可能な形式のファイルでＣＤ−ＲＯＭ、フレキシブルディスク（ＦＤ）、ＣＤ−Ｒ、ＤＶＤ（Digital  Versatile  Disk）等のコンピュータで読み取り可能な記録媒体に記録して提供するように構成してもよい。さらに、記憶媒体は、コンピュータ或いは組み込みシステムと独立した媒体に限らず、ＬＡＮやインターネット等により伝達されたプログラムをダウンロードして記憶又は一時記憶した記憶媒体も含まれる。
【００６５】
また、上記実施形態の各装置で実行されるプログラムをインターネット等のネットワークに接続されたコンピュータ上に格納し、ネットワーク経由でダウンロードさせることにより提供するように構成してもよく、インターネット等のネットワーク経由で提供又は配布するように構成してもよい。
【符号の説明】
【００６６】
１４      薬剤監査装置
１００    タブレットＰＣ
１０１０  識別手段
１０１１  判定手段
１０１２  報知手段
１０１３  表示制御手段
２００    読取部
２０１０  読取手段
３００    ＢＯＸ部
３２０    ＲＦＩＤリーダライタ
【先行技術文献】
【特許文献】
【００６７】
【特許文献１】特開２００２−１６３３５７号公報
【図１】
2015064673.tif 000003
【図２】
2015064673.tif 000004
【図３】
2015064673.tif 000005
【図４】
2015064673.tif 000006
【図５】
2015064673.tif 000007
【図６】
2015064673.tif 000008
【図７】
2015064673.tif 000009
【図８】
2015064673.tif 000010
【図９】
2015064673.tif 000011
【図１０】
2015064673.tif 000012
【図１１】
2015064673.tif 000013
【図１２】
2015064673.tif 000014
【図１３】
2015064673.tif 000015
【図１４】
2015064673.tif 000016
【図１５】
2015064673.tif 000017
【図１６】
2015064673.tif 000018